(57)【特許請求の範囲】
【請求項１】
表示部とは別に設けられた状態通知部によって、未確認の不在着信履歴がある状態となっていることを自機のユーザに通知する電子機器であって、
上記表示部が上記ユーザから視認できないとき、上記ユーザが確認動作を行ったことを検出する確認動作検出手段と、
未確認の不在着信履歴があるとき、上記状態通知部を通知状態とし、上記確認動作検出手段が、上記確認動作が行われたことを検出したときに、上記通知状態の状態通知部を確認状態にし、所定時間経過後、又は、上記確認動作が終了したことを検出したときに、上記確認状態の状態通知部を上記通知状態に戻す手段とを備えていることを特徴とする電子機器。
【請求項２】
上記通知状態の状態通知部を確認状態にする手段は、通知状態の状態通知部を、上記ユーザが自機の状態を確認するための確認状態に切り替える切替手段であることを特徴とする請求項１に記載の電子機器。
【請求項３】
上記状態通知部は、上記状態を示す文字または画像を表示するものであり、
上記切替手段は、上記状態通知部による文字または画像の表示態様を切り替えることによって、上記状態通知部を上記通知状態から上記確認状態に切り替えることを特徴とする請求項２に記載の電子機器。
【請求項４】
上記状態通知部は、バックライトからの光により、上記状態を示す文字または画像を表示するものであり、
上記切替手段は、上記バックライトを点滅させることによって上記状態通知部を通知状態とし、上記バックライトを点灯させることによって上記状態通知部を確認状態とすることを特徴とする請求項３に記載の電子機器。
【請求項５】
上記状態通知部は、バックライトからの光により、上記状態を示す文字または画像を表示するものであり、
上記切替手段は、上記バックライトを点滅させることによって上記状態通知部を通知状態とし、上記文字または画像が点灯していると認識されるように、上記バックライトの点滅周期を上記通知状態よりも短くすることによって上記状態通知部を確認状態とすることを特徴とする請求項３に記載の電子機器。
【請求項６】
自機の運動状態を検出する状態検出部を備え、
上記確認動作検出手段は、上記状態検出部が自機の静止を検出している時間が予め定めた下限時間以上続いた後、上記状態検出部が自機の移動を検出した場合に、上記確認動作が行われたと判断することを特徴とする請求項１から５の何れか１項に記載の電子機器。
【請求項７】
上記確認動作検出手段は、上記状態検出部が自機の静止を検出している時間が予め定めた下限時間以上続いた後、上記状態検出部が自機の移動を検出し、上記状態検出部が再び自機の静止を検出した場合に、上記確認動作が行われたと判断することを特徴とする請求項６に記載の電子機器。
【請求項８】
上記状態通知部の向きを検出する向き検出部を備え、
上記確認動作検出手段は、上記向き検出部が検出した上記状態通知部の向きが予め定めた範囲内である場合にのみ、上記確認動作が行われたと判断することを特徴とする請求項１から７の何れか１項に記載の電子機器。
【請求項９】
上記確認動作検出手段は、上記確認動作が行われたことを検出した後、予め定められた待機時間の間は、上記確認動作の検出を行わないことを特徴とする請求項１から８の何れか１項に記載の電子機器。
【請求項１０】
表示部とは別に設けられた状態通知部によって、未確認の不在着信履歴がある状態となっていることを自機のユーザに通知する電子機器の制御方法であって、
上記表示部が上記ユーザから視認できないとき、上記ユーザが確認動作を行ったことを検出する確認動作検出ステップと、
未確認の不在着信履歴があるとき、上記状態通知部を通知状態とし、上記確認動作検出ステップで上記確認動作が行われたことを検出したときに、上記通知状態の状態通知部を確認状態にし、所定時間経過後、又は、上記確認動作が終了したことを検出したときに、上記確認状態の状態通知部を上記通知状態に戻すステップとを備えていることを特徴とする電子機器の制御方法。
【請求項１１】
表示部が露出しない折りたたみ形態に切り替え可能であり、該折りたたみ形態では、上記表示部とは別に設けられた状態通知部によって、未確認の不在着信履歴がある状態となっていることを自装置のユーザに通知する携帯端末装置であって、
上記表示部が上記ユーザから視認できないとき、上記ユーザが確認動作を行ったことを検出する確認動作検出手段と、
未確認の不在着信履歴があるとき、上記状態通知部を通知状態とし、上記確認動作検出手段が、上記確認動作が行われたことを検出したときに、上記通知状態の状態通知部を確認状態にし、所定時間経過後、又は、上記確認動作が終了したことを検出したときに、上記確認状態の状態通知部を上記通知状態に戻す手段とを備えていることを特徴とする携帯端末装置。
【請求項１２】
請求項１から９の何れか１項に記載の電子機器を動作させるための制御プログラムであって、コンピュータを上記各手段として機能させるための制御プログラム。
【発明の詳細な説明】
【技術分野】
【０００１】
本発明は、表示部とは別に設けられた、ＬＥＤ等で構成される状態通知部を用いて自機の状態をユーザに通知する電子機器に関する。
【背景技術】
【０００２】
従来から、表示部とは別に、自機の状態をユーザに通知する状態通知部を設けた電子機器が広く用いられている。このような状態通知部は、一般にＬＥＤや、小型の表示部（サブディスプレイ）で構成されており、これを搭載することによって、表示部がユーザから見えない状態にあるとき等に、低い消費電力でユーザに状態を通知することができるという利点がある。
【０００３】
例えば、下記の特許文献１には、折りたたみ式の携帯電話機の背面（筐体を折りたたんだときに外側に露出している面）に、ＬＥＤをバックライトとして電話やメールを示す絵を表示する着信情報表示部を設け、電話や電子メールの着信があるときには、ＬＥＤを点滅させて、着信情報表示部を通知状態とすることが記載されている。
【０００４】
この構成によれば、ユーザは、携帯電話機を折りたたんだ状態で電話や電子メールの着信を確認することができる。また、ＬＥＤを点滅させることにより、ＬＥＤを点灯させる場合と比べて、電話や電子メールの着信があったことをユーザが気付きやすく、また消費電力も少ないという利点がある。
【先行技術文献】
【特許文献】
【０００５】
【特許文献１】特許第３８３００８１号公報（２００２年２月２５日公開）
【発明の概要】
【発明が解決しようとする課題】
【０００６】
ここで、上述のような従来技術では、通知状態においてＬＥＤを点滅させることによって絵が見にくくなってしまうという問題がある。特に、表示する絵が複雑なものである場合や、文字を表示する場合、また、ユーザが高齢者等のように視力が弱い場合に、このような点滅表示を行うと、ユーザは、表示されている内容を読み取ることが難しくなる。
【０００７】
しかしながら、通知状態における絵の見易さを考慮して、ＬＥＤを点灯させる構成とした場合には、絵が見易くなる反面、不在着信があること自体をユーザが気付きにくくなってしまう。
【０００８】
本発明は、上記の問題点に鑑みてなされたものであり、その目的は、状態通知部が通知状態となっていることをユーザに気付かせ易くすることと、状態通知部に提示される状態のユーザの確認し易さとを両立させた電子機器等を提供することにある。
【課題を解決するための手段】
【０００９】
上記の課題を解決するために、本発明の電子機器は、表示部とは別に設けられた状態通知部を通知状態とすることによって、自機が予め定められた状態となっていることを自機のユーザに通知する電子機器であって、上記ユーザが上記状態通知部にて上記状態を確認するための確認動作を行ったことを検出する確認動作検出手段と、上記確認動作検出手段が、上記確認動作が行われたことを検出したときに、上記通知状態の状態通知部を、上記ユーザが自機の状態を確認するための確認状態に切り替える切替手段とを備えていることを特徴としている。
【００１０】
また、本発明の電子機器の制御方法は、上記課題を解決するために、表示部とは別に設けられた状態通知部を通知状態とすることにより、自機が予め定められた状態となっていることを自機のユーザに通知する電子機器の制御方法であって、上記ユーザが上記状態通知部にて上記状態を確認するための確認動作を行ったことを検出する確認動作検出ステップと、上記確認動作検出ステップで上記確認動作が行われたことを検出したときに、上記通知状態の状態通知部を、上記ユーザが自機の状態を確認するための確認状態に切り替える切替ステップとを含むことを特徴としている。
【００１１】
そして、本発明の携帯端末装置は、上記課題を解決するために、表示部が露出しない折りたたみ形態に切り替え可能であり、該折りたたみ形態では、上記表示部とは別に設けられた状態通知部を通知状態とすることによって、自装置が予め定められた状態となっていることを自装置のユーザに通知する携帯端末装置であって、上記ユーザが上記状態通知部にて上記状態を確認するための確認動作を行ったことを検出する確認動作検出手段と、上記確認動作検出手段が、上記確認動作が行われたことを検出したときに、上記通知状態の状態通知部を、上記ユーザが自装置の状態を確認するための確認状態に切り替える切替手段とを備えていることを特徴としている。
【００１２】
上記の構成によれば、ユーザが確認動作を行ったことを検出したときに、通知状態の状態通知部を確認状態に切り替える。このように、通知を行うための通知状態から、通知内容の確認を行うための確認状態に切り替えることによって、状態通知部が通知状態となっていることを気付かせ易くすることと、状態通知部に提示される状態の確認し易さとを両立させることができる。
【００１３】
また、上記状態通知部は、上記状態を示す文字または画像を表示するものであり、上記切替手段は、上記状態通知部による文字または画像の表示態様を切り替えることによって、上記状態通知部を上記通知状態から上記確認状態に切り替えることが好ましい。
【００１４】
上記の構成によれば、状態通知部が、電子機器の状態を示す文字または画像を表示するものであるから、ユーザはこの文字または画像を読み取ることによって、電子機器の状態を認識することができる。
【００１５】
また、上記の構成によれば、状態通知部による文字または画像の表示態様を切り替えることによって、状態通知部を通知状態から確認状態に切り替えるので、状態通知部に文字または画像が表示されていることを気付かせ易くすることと、表示される文字または画像の確認し易さとを両立させることができる。
【００１６】
また、上記状態通知部は、バックライトからの光により、上記状態を示す文字または画像を表示するものであり、上記切替手段は、上記バックライトを点滅させることによって上記状態通知部を通知状態とし、上記バックライトを点灯させることによって上記状態通知部を確認状態とすることが好ましい。
【００１７】
上記の構成によれば、状態通知部はバックライトからの光によって状態を示す文字または画像を表示するものであり、切替手段はこのバックライトを点滅させることによって状態通知部を通知状態とする。すなわち、通知状態では、状態を示す文字または画像が点滅表示され、これによりユーザは文字または画像が表示されていることを気付き易くなる。
【００１８】
また、上記の構成によれば、切替手段はこのバックライトを点灯させることによって状態通知部を確認状態とする。すなわち、確認状態では、状態を示す文字または画像が点灯表示され、これによりユーザは表示されている文字または画像の内容を認識し易くなる。
【００１９】
したがって、上記の構成によれば、状態通知部に文字または画像が表示されていることを気付かせ易くすることと、表示される文字または画像の確認し易さとを、バックライトの点灯状態を切り替えるという簡易な処理によって両立させることができる。
【００２０】
なお、上記電子機器は、状態通知部の他に表示部を有しているので、状態通知部のバックライトは、消費電力が少なく簡易な構成の、例えばＬＥＤのような発光素子とすることが好ましい。
【００２１】
上記状態通知部は、バックライトからの光により、上記状態を示す文字または画像を表示するものであり、上記切替手段は、上記バックライトを点滅させることによって上記状態通知部を通知状態とし、上記文字または画像が点灯していると認識されるように、上記バックライトの点滅周期を上記通知状態よりも短くすることによって上記状態通知部を確認状態とすることが好ましい。
【００２２】
上記の構成によっても、確認状態において、状態通知部に表示される文字または画像が点灯していると認識されるので、状態通知部に文字または画像が表示されていることを気付かせ易くすることと、表示される文字または画像の確認し易さとを、バックライトの点灯状態を切り替えるという簡易な処理によって両立させることができる。
【００２３】
また、一般に、点滅状態のほうが点灯状態よりもバックライトの消費電力が少ないので、上記の構成によれば、確認状態における消費電力を抑えることができるという更なる効果を奏する。なお、例えば３０Ｈｚ以上の周期で点滅させることによって、ユーザに文字または画像が点灯していると認識させることが可能である。
【００２４】
また、上記電子機器は、自機の運動状態を検出する状態検出部を備え、上記確認動作検出手段は、上記状態検出部が自機の静止を検出している時間が予め定めた下限時間以上続いた後、上記状態検出部が自機の移動を検出した場合に、上記確認動作が行われたと判断することが好ましい。
【００２５】
上記の構成によれば、電子機器を静止している状態から移動させたときに、確認動作が行われたと判断する。これにより、例えば電子機器を置いているときに通知状態となったような場合に、通知状態に気付いたユーザが電子機器を手に取ったタイミングで確認状態に切り替えることができる。
【００２６】
また、上記確認動作検出手段は、上記状態検出部が自機の静止を検出している時間が予め定めた下限時間以上続いた後、上記状態検出部が自機の移動を検出し、上記状態検出部が再び自機の静止を検出した場合に、上記確認動作が行われたと判断することが好ましい。
【００２７】
上記の構成によれば、電子機器を静止している状態から移動させ、さらにその後電子機器が静止したときに、確認動作が行われたと判断する。これにより、手に取った電子機器を見ずに移動したような場合には確認状態に切り替えず、状態通知部を見ようとして電子機器を静止させた場合に確認状態に切り替えることができる。
【００２８】
なお、電子機器を手に持っている場合、ユーザが意識しなくとも手が多少動くため、電子機器は完全には静止しない。このため、静止の検出は、完全に静止したことのみを検出するのではなく、電子機器の移動量が一定以下の場合にも、電子機器が静止していると検出することが好ましい。
【００２９】
また、上記電子機器は、上記状態通知部の向きを検出する向き検出部を備え、上記確認動作検出手段は、上記向き検出部が検出した上記状態通知部の向きが予め定めた範囲内である場合にのみ、上記確認動作が行われたと判断することが好ましい。
【００３０】
上記の構成によれば、向き検出部が検出した状態通知部の向きが予め定めた範囲内である場合にのみ、確認動作が行われたと判断するので、ユーザが確認動作を行ったとは考えにくいような向きとなっているとき（例えば、状態通知部が鉛直方向下向きとなっているとき）に、確認状態に切り替わることを防ぐことができる。
【００３１】
また、上記確認動作検出手段は、上記確認動作が行われたことを検出した後、予め定められた待機時間の間は、上記確認動作の検出を行わないことが好ましい。
【００３２】
上記の構成によれば、確認動作が行われたことを検出した後、予め定められた待機時間の間は、確認動作の検出を行わないので、通知状態と確認状態の切り替えが頻繁に行われることを防ぐことができる。
【００３３】
なお、上記電子機器は、コンピュータによって実現してもよく、この場合には、コンピュータを上記電子機器の上記確認動作検出手段及び上記切替手段として動作させることにより、上記電子機器をコンピュータにて実現させる制御プログラム、及びそれを記録したコンピュータ読み取り可能な記録媒体も本発明の範疇に入る。
【発明の効果】
【００３４】
以上のように、本発明の電子機器は、ユーザが状態通知部にて状態を確認するための確認動作を行ったことを検出する確認動作検出手段と、上記確認動作検出手段が、上記確認動作が行われたことを検出したときに、上記通知状態の状態通知部を、上記ユーザが自機の状態を確認するための確認状態に切り替える切替手段とを備えている構成である。
【００３５】
また、本発明の電子機器の制御方法は、ユーザが状態通知部にて状態を確認するための確認動作を行ったことを検出する確認動作検出ステップと、上記確認動作検出ステップで上記確認動作が行われたことを検出したときに、上記通知状態の状態通知部を、上記ユーザが自機の状態を確認するための確認状態に切り替える切替ステップとを含む構成である。
【００３６】
そして、本発明の携帯端末装置は、ユーザが状態通知部にて状態を確認するための確認動作を行ったことを検出する確認動作検出手段と、上記確認動作検出手段が、上記確認動作が行われたことを検出したときに、上記通知状態の状態通知部を、上記ユーザが自装置の状態を確認するための確認状態に切り替える切替手段とを備えている構成である。
【００３７】
上記の構成によれば、ユーザが確認動作を行ったことを検出したときに、通知を行うための通知状態から、通知内容の確認を行うための確認状態に切り替えるので、状態通知部が通知状態となっていることを気付かせ易くすることと、状態通知部に提示される状態の確認し易さとを両立させることができる。
【図面の簡単な説明】
【００３８】
【図１】本発明の一実施形態にかかる携帯電話機の要部構成の一例を示すブロック図である。
【図２】上記携帯電話機の外観の一例を示す図であり、同図（ａ）は上記携帯電話機を開いた形態、同図（ｂ）は閉じた形態の外観を示している。
【図３】上記携帯電話機の加速度センサーが出力する、加速度の実測値に基づく３軸方向の加速度の変化量の一例を示している。
【図４】上記携帯電話機が実行する処理の一例を示すフローチャートである。
【発明を実施するための形態】
【００３９】
以下、本発明の実施の形態について、図１〜図４に基づいて詳細に説明する。
【００４０】
〔概要〕
まず、本実施形態の携帯電話機（電子機器、携帯端末装置）１の概要を図２に基づいて説明する。図２は、携帯電話機１の外観の一例を示す図であり、同図（ａ）は携帯電話機１を開いた形態、同図（ｂ）は閉じた形態の外観を示している。同図（ａ）（ｂ）に示すように、携帯電話機１は、閉じた形態と開いた形態とを切り替えることができる、いわゆる折りたたみ式の携帯電話機である。
【００４１】
同図（ａ）に示すように、携帯電話機１を開いた形態では、メインディスプレイ（表示部）２、ガイド表示対応ボタン３、及び操作ボタン４が露出し、ユーザは表示内容の確認及びボタン操作を行うことができる。
【００４２】
ガイド表示対応ボタン３は、同図にＧで示すガイド表示に対応する操作を行うためのものである。例えば、図示の例では、メインディスプレイ２に「自宅」、「かおる」、「涼子」、及び「翔太郎」の文字が表示されており、これらの文字の下には、ガイド表示対応ボタンと同じ、家のマーク、及び１〜３の番号がそれぞれ表示されている。つまり、このガイド表示がなされているときには、ガイド表示対応ボタン３は、それぞれ「自宅」、「かおる」、「涼子」、及び「翔太郎」に対応している。そして、ガイド表示対応ボタン３を押下することによって、「自宅」、「かおる」、「涼子」、または「翔太郎」を電話の発信先やメールの送信先に設定することができる。
【００４３】
操作ボタン４は、数字や文字、記号等を入力するためのボタンや、通話開始用ボタン、通話終了用ボタン等を含む、一般的な携帯電話機に備えられているものと同様の操作ボタンである。なお、以下の説明では、ガイド表示対応ボタン３と操作ボタン４とをまとめて操作ボタンと呼ぶ。
【００４４】
一方、同図（ｂ）に示すように、携帯電話機１を閉じた形態にしたときには、メインディスプレイ２と操作ボタンが向かい合わせとなって、ユーザから視認されなくなる。この状態では、ユーザは、サブディスプレイ５の表示で携帯電話機１の状態等を確認することができる。図示の例では、サブディスプレイ５に、電波状況を示すアンテナの絵、電池残量を示す絵、日付、及び時刻等が表示されている。
【００４５】
また、サブディスプレイの下側には、携帯電話機１が予め定めた状態となっていることをユーザに報知するための報知情報提示部（状態通知部）６が設けられている。同図の例では、報知情報提示部６は、「電話」、「充電」、または「メール」の文字を表示することによって、ユーザに状態を通知する。
【００４６】
具体的には、未確認の電話着信履歴があるときには「電話」の文字を点滅表示させ、未確認の新着メールがあるときには「メール」の文字を点滅表示させ、充電中は「充電」の文字を点滅表示させる。つまり、ここでは、上記予め定めた状態として、未確認の電話着信履歴がある状態、未確認の新着メールがある状態、及び充電中である状態の３つを想定している。無論、ユーザに通知する状態は、ユーザに確認させるべき携帯電話機１の状態であればよく、これらの例に限られない。また、状態を認識させるためにはこの例のように文字を表示することが望ましいが、絵や記号で状態を表示してもよい。
【００４７】
ここで、上記のように点滅表示を行っているときには、点灯状態が変化することによってユーザが報知情報提示部６に文字が表示されていることに気付き易くなる反面、文字が表示されない期間が生じるので、文字を読み取りにくくなる。
【００４８】
そこで、携帯電話機１は、ユーザが報知情報提示部６に点滅表示されている文字を見ようとして、携帯電話機１を持ち上げる動作を行ったときに、この動作を、上記の状態を確認するための確認動作として検出する。そして、確認動作を検出したときに、報知情報提示部６の文字を点滅表示から点灯表示に切り替える。つまり、携帯電話機１は、確認動作を検出したときに、報知情報提示部６に文字が表示されていることを通知するための点滅表示（通知状態）から、文字を確認させるための点灯表示（確認状態）に切り替える。
【００４９】
すなわち、携帯電話機１は、報知情報提示部６の文字を点滅表示させることにより、該文字に対するユーザの注意を引き易くし、点灯表示に切り替えることによって、この文字をユーザが読み易くする。
【００５０】
これにより、報知情報提示部６に携帯電話機１の状態を示す情報が提示されていることを気付き易くすることができると共に、その状態をユーザに容易に認識させることができる。また、携帯電話機１では、この表示切り替えのために、ユーザが特別な操作を行う必要がない。
【００５１】
〔携帯電話機１の構成〕
続いて、携帯電話機１の構成について図１に基づいて説明する。図１は、携帯電話機１の要部構成の一例を示すブロック図である。なお、同図では、本発明の特徴点と直接関係のないメインディスプレイ２、操作ボタン、及びサブディスプレイ５等の構成は図示を省略している。
【００５２】
図示のように、携帯電話機１は、記憶部１０、持上げ検出部（確認動作検出手段）２０及びＬＥＤ制御部（切替手段）２１を含む制御部１１、加速度センサー（状態検出部）１２、通信部１３を備えている。また、報知情報提示部６の背面（携帯電話機１の内部側）に緑色ＬＥＤ１４、赤色ＬＥＤ１５、及び青色ＬＥＤ１６を備えている。
【００５３】
記憶部１０は、携帯電話機１で使用する各種データを格納するものである。また、制御部１１は、携帯電話機１の動作を統括して制御するものである。
【００５４】
加速度センサー１２は、３軸方向の加速度をそれぞれ検出し、検出した加速度の変化量を一定の周期で持上げ検出部２０に通知する。加速度センサー１２が出力する加速度の変化量から、携帯電話機１の運動状態（静止しているか移動しているか等）を推定することができるので、加速度センサー１２は、携帯電話機１の運動状態を検出するものと言える。なお、加速度センサー１２は、検出した加速度の値からノイズを除去するフィルタを備えていてもよい。また、図１では、加速度センサー１２を、制御部１１と別のブロックで示しているが、加速度センサー１２を、制御部１１の内部に組み込んだ構成としてもよい。
【００５５】
通信部１３は、携帯電話機１が他の装置と通信するためのものである。具体的には、通信部１３は、携帯電話機１が他の電話機等と通話または電子メールの送受信を行うためのものである。
【００５６】
緑色ＬＥＤ１４、赤色ＬＥＤ１５、及び青色ＬＥＤ１６は、それぞれ緑色、赤色、青色に発光する発光素子（Light Emitting Diode）である。なお、以下の説明では、これら３つの発光素子の全部または一部を指してＬＥＤと表記することがある。
【００５７】
持上げ検出部２０は、ユーザが報知情報提示部６にて電話着信の有無等を確認するための確認動作を行ったことを検出する。具体的には、加速度センサー１２から通知される加速度の変化量から確認動作が行われたことを検出する。そして、確認動作が行われたと判断したときには、ＬＥＤ制御部２１に指示して、そのときに点滅しているＬＥＤ（緑色ＬＥＤ１４、赤色ＬＥＤ１５、及び青色ＬＥＤ１６の何れかまたは複数）を点灯状態に切り替えさせる。
【００５８】
ＬＥＤ制御部２１は、緑色ＬＥＤ１４、赤色ＬＥＤ１５、及び青色ＬＥＤ１６のそれぞれを消灯状態、点滅状態、または点灯状態とする制御を行う。具体的には、ＬＥＤ制御部２１は、ユーザが未確認の不在電話着信または電子メール着信がある状態、及び携帯電話機１が充電中である状態の何れかに該当するか判断する。そして、該当すると判断したときには、その状態に応じたＬＥＤを点滅状態とする。
【００５９】
ここでは、図示のように、「電話」の報知情報提示部６の背面に緑色ＬＥＤ１４が配置されているので、不在着信があるときには緑色ＬＥＤ１４を点滅させる。この「電話」の文字の部分は光が透過するようになっているので、携帯電話機１の外部からは「電話」の文字が緑色に点滅して視認される。同様に、「充電」の背面には赤色ＬＥＤ１５が配置されているので、充電中のときには赤色ＬＥＤ１５を点滅させ、「メール」の背面には青色ＬＥＤ１６が配置されているので、電子メール着信があるときには青色ＬＥＤ１６を点滅させる。つまり、緑色ＬＥＤ１４、赤色ＬＥＤ１５、及び青色ＬＥＤ１６は、報知情報提示部６に文字を表示するためのバックライトとして機能する。
【００６０】
なお、図１には示していないが、緑色ＬＥＤ１４、赤色ＬＥＤ１５、及び青色ＬＥＤ１６のそれぞれと、報知情報提示部６の「電話」、「充電」、及び「メール」の文字との間には、緑色ＬＥＤ１４、赤色ＬＥＤ１５、及び青色ＬＥＤ１６からの光を拡散させて、文字を均一な明るさで表示するための拡散板（メジウム等）を設けることが好ましい。
【００６１】
また、ＬＥＤ制御部２１は、上述のように、持上げ検出部２０の制御に従って、点滅状態のＬＥＤ（緑色ＬＥＤ１４、赤色ＬＥＤ１５、及び青色ＬＥＤ１６の何れかまたは複数）を点灯状態に切り替える。
【００６２】
〔確認動作検出について〕
ここで、持上げ検出部２０による確認動作検出について説明する。上述のように、携帯電話機１が備える加速度センサー１２は、３軸方向の加速度の変化量を出力するものであるから、持上げ検出部２０は、３軸方向の加速度の変化量から確認動作が行われたことを検出する。
【００６３】
なお、未確認の不在着信の履歴があるような場合は、携帯電話機１をどこかに置いていることが多いと考えられる。そこで、持上げ検出部２０は、置かれている携帯電話機１が持ち上げられたときに、確認動作が行われたと検出する。無論、携帯電話機１の形状や、報知情報提示部６で提示する情報等に応じて、他の状態を確認動作として検出してもよい。
【００６４】
加速度センサー１２が出力する変化量は、例えば図３のようになる。図３は、加速度センサー１２が出力する、加速度の実測値に基づく３軸方向の加速度の変化量の一例を示している。加速度センサー１２は、重力加速度に対して図示の例のような直交座標系をとり、Ｘ，Ｙ，Ｚの各軸方向の加速度成分の変化量を一定の周期ごとにそれぞれデジタル値として持上げ検出部２０に出力する。
【００６５】
持上げ検出部２０は、これらの変化量と、予め定められたＸ，Ｙ，Ｚの各軸方向の閾値とをそれぞれ比較し、各軸方向（閾値の設定値によっては、１軸または２軸方向についてのみ）における変化量が何れも閾値以上である場合に、携帯電話機１が持ち上げられたと判断する。なお、Ｘ，Ｙ，Ｚの各軸方向の閾値は同じであってもよいし、異なっていてもよい。
【００６６】
また、加速度センサー１２は、検出した加速度の値を出力するものであってもよく、この場合、持上げ検出部２０または他の処理ブロックによって、加速度センサー１２が出力する加速度の値から、Ｘ，Ｙ，Ｚの各軸方向の加速度成分の変化量を算出する構成とすればよい。
【００６７】
さらに、ここでは、３軸の加速度センサー１２を用いる例を説明するが、加速度センサー１２は、１軸や２軸の加速度センサーであってもよい。ただし、３軸の加速度センサー１２を用いる方が、携帯電話機１の持ち上げを正確に検出することができるので好ましい。
【００６８】
また、加速度センサー１２に加えて、地磁気センサーや角速度センサーを備えてもよい。これらのセンサーの出力する地磁気データや角速度データを考慮することによって、携帯電話機１の持ち上げをさらに正確に検出することが可能になる。
【００６９】
なお、このようなセンサーを用いて、該センサーを搭載した装置の運動状態を行うことは公知であり、このような公知技術を応用することによって、携帯電話機１の持ち上げを検出することができる。
【００７０】
また、確認動作を検出するための構成は、加速度センサーに限られず、検出対象となる確認動作に応じた検出を行うことのできる任意の構成を採用することができる。
【００７１】
〔処理の流れ〕
次に、携帯電話機１が実行する処理の流れを図４に基づいて説明する。図４は、携帯電話機１が実行する処理の一例を示すフローチャートである。
【００７２】
まず、ＬＥＤ制御部２１は、携帯電話機１が報知情報提示部６に表示を行うべき状態となっているか判断する（Ｓ１）。具体的には、ユーザが未確認の不在電話着信または電子メール着信がある状態、及び携帯電話機１が充電中である状態の何れかに該当するか判断する。
【００７３】
ここで、表示が不要と判断した場合（Ｓ１でＮＯ）、ＬＥＤ制御部２１は、ＬＥＤ（緑色ＬＥＤ１４、赤色ＬＥＤ１５、及び青色ＬＥＤ１６のうち、現在点灯または点滅中であるが、点灯及び点滅が必要な状態ではなくなっているもの）を消灯状態とし（Ｓ２）、Ｓ１の処理に戻る。なお、現在点灯または点滅中であるが、点灯及び点滅が必要な状態ではなくなっているＬＥＤが存在しない場合には、Ｓ２では処理を行わず、Ｓ１の処理に戻る。
【００７４】
一方、表示が必要と判断した場合（Ｓ１でＹＥＳ）、ＬＥＤ制御部２１は、ＬＥＤ（緑色ＬＥＤ１４、赤色ＬＥＤ１５、及び青色ＬＥＤ１６のうち、表示が必要な状態に対応するもの）を点滅状態とする（Ｓ３）。また、ＬＥＤ制御部２１は、点滅状態としたことを持上げ検出部２０に通知する。
【００７５】
点滅状態とされたことを通知された持上げ検出部２０は、加速度センサー１２から通知される加速度の変化量が、予め定めた下限値以下であるか判断する（Ｓ４）。また、下限値以下である場合には、下限値以下の状態が予め定めた下限時間以上継続しているか判断する（Ｓ５）。Ｓ４で変化量が下限値を超えていた場合（Ｓ４でＮＯ）、及びＳ５で下限時間が経過する前に変化量が下限値を超えた場合（Ｓ５でＮＯ）には、処理はＳ１に戻り、ＬＥＤ制御部２１は、報知情報提示部６による表示が必要な状態が継続しているか確認する。
【００７６】
なお、加速度の変化量が下限値以下であるかの判断は、携帯電話機１が静止しているか、またはほぼ静止していることを検出するために行っている。つまり、上記下限値は、携帯電話機１が静止しているか、またはほぼ静止していると判断できる程度の値に設定する。
【００７７】
また、下限値以下の状態が下限時間以上継続しているかの判断は、携帯電話機１が置かれている状態にあることを検出するために行っている。携帯電話機１がユーザに携帯されているとき（置かれていないとき）には、加速度センサー１２が検出する加速度は頻繁に変化するからである。なお、上記下限時間は、その機器に必要なシステムの待機時間の設定がされればよい。
【００７８】
Ｓ５で、加速度の変化量が下限値以下である状態が上記下限時間以上継続していると判断した場合（Ｓ５でＹＥＳ）、持上げ検出部２０は、加速度センサー１２から通知される加速度の変化量が、予め定めた閾値以上となったか判断する（Ｓ６）。なお、変化量と閾値を比較して持ち上げを検出する場合の判断手法については、既に説明したのでここでは説明を省略する。
【００７９】
Ｓ６において、加速度の変化量が予め定めた閾値以上となっていないと判断した場合（Ｓ６でＮＯ）、処理はＳ４に戻る。なお、Ｓ６でＮＯの場合にＳ１に戻るようにしてもよい。一方、加速度の変化量が予め定めた閾値以上となったと判断した場合（Ｓ６でＹＥＳ）、持上げ検出部２０は、携帯電話機１の持ち上げが行われたと判断する（Ｓ７、確認動作検出ステップ）。
【００８０】
そして、携帯電話機１の持ち上げが行われたと判断した持上げ検出部２０は、所定の無効時間（待機時間）の間、持上げ検出の無効状態（持上げ検出を行わない状態）に遷移する（Ｓ８）と共に、ＬＥＤ制御部２１に指示して、Ｓ３の処理で点滅状態となっているＬＥＤを所定の点灯時間の間、点灯状態にさせる（切替ステップ）。
【００８１】
なお、Ｓ８の無効状態への遷移は、持ち上げの連続検出（１度持上げ検出された後すぐに、持ち上げ検出されること）を防ぐためのものである。したがって、システム的に連続検出をさせないことが必要な場合にはこの例のように無効状態に遷移させ、システム的に不要な場合には無効状態への遷移を省略する。
【００８２】
持上げ検出部２０の指示を受けて、ＬＥＤを点灯状態としたＬＥＤ制御部２１は、予め定めた点灯時間が経過するまで点灯状態を維持する（Ｓ９）。これにより、携帯電話機１の処理は終了する。なお、点灯時間は、携帯電話機１を持ち上げたユーザが報知情報提示部６の文字を認識することができる程度の時間とすればよく、例えば数秒から数十秒程度としてもよい。また、この点灯時間をユーザが設定可能に構成してもよい。
【００８３】
〔持ち上げ検出後の処理について〕
上記では、持ち上げ検出時に、ＬＥＤを点滅状態から点灯状態に切り替える例を説明したが、持ち上げ検出時には、報知情報提示部６に提示される情報の内容をユーザが認識しやすくなるような点灯状態の切り替えを行えばよく、この例に限られない。
【００８４】
例えば、持ち上げ検出時に、ＬＥＤの点滅周期を、該ＬＥＤが点灯しているとユーザに認識される程度に短くしてもよい。一般に、点滅状態は点灯状態よりもＬＥＤの消費電力が少ないので、この構成によれば、より少ない消費電力で、報知情報提示部６に提示される情報の内容をユーザに認識させることができる。
【００８５】
なお、表示する文字のサイズ等にもよるが、例えば３０Ｈｚ以上の周期で点滅させることにより、ＬＥＤが点灯しているとユーザに視認させることができる。点滅の周期を短くするほど、ちらつきがなく見やすい表示となるので、５０Ｈｚから１００Ｈｚ以上とすることが好ましい。
【００８６】
また、ＬＥＤを点灯状態に切り替える代わりに、または点灯状態に切り替えると共に、サブディスプレイ５に当該状態を表示してもよい。この場合、サブディスプレイ５及び報知情報提示部６の両方が状態通知部ということになる。
【００８７】
これは特に、図２（ｂ）の例のように、サブディスプレイ５が報知情報提示部６の文字よりも大きい文字を表示できる場合に、サブディスプレイ５に表示を行うことにより、表示される状態をユーザがより認識しやすくなるという利点がある。また、サブディスプレイ５に、報知情報提示部６に提示される状態に関する情報（例えば、不在着信の日時、発信元の名前や電話番号など）を表示してもよい。
【００８８】
さらに、ＬＥＤの代わりに、サブディスプレイ５で状態を報知するようにしてもよい。つまり、サブディスプレイ５に状態を示す文字等を点滅表示させ、持ち上げ検出時に点灯表示に切り替えてもよい。この場合、サブディスプレイ５が状態通知部ということになる。サブディスプレイ５では、その表示領域の全面に大きく状態を表示する等、報知情報提示部６を用いる場合よりも、ユーザの認識性が向上する表示を行うことができる。
【００８９】
ただし、サブディスプレイ５を点滅・点灯させる際の消費電力は、一般にＬＥＤを点滅・点灯させるよりも大きいので、消費電力を低減するという観点からは、ＬＥＤを点滅・点灯させる構成が好ましい。
【００９０】
〔点滅表示に戻すタイミングについて〕
上記では、点灯表示に切り替えた後、所定の点灯時間が経過したときに点滅表示に戻す例を示したが、ユーザが表示の確認を終了する動作を行ったことを検出したタイミングで点滅表示に戻してもよい。
【００９１】
例えば、ユーザは、報知情報提示部６で状態を確認している間は、携帯電話機１はほぼ静止している状態となると考えられ、確認が終了したときには、携帯電話機１を置くか、または携帯電話機１を持ったまま移動すると考えられる。
【００９２】
そこで、上述の持ち上げ検出の後、加速度センサー１２の出力する加速度の変化量から、携帯電話機１が静止またはほぼ静止している状態となり、その後、携帯電話機１が移動されたと判断されるときに、ＬＥＤを点滅状態に戻してもよい。
【００９３】
〔ＬＥＤの輝度制御について〕
ＬＥＤ点滅状態においては、できるだけユーザの注意を引くようにすることが重要であるため、ＬＥＤの輝度を高くすることが好ましい。一方、ＬＥＤを点灯または高速点滅させているときには、あまりに輝度が高すぎると文字を確認しにくくなる場合もある。
【００９４】
このため、ＬＥＤ点滅状態においては、文字の確認に適した輝度よりも高い輝度でＬＥＤを点滅させ、持ち上げ検出後は、文字の確認に適した輝度までＬＥＤの輝度を下げる制御を行うようにしてもよい。
【００９５】
〔検出する動作について〕
上記では、ユーザが携帯電話機１を持ち上げる動作を、ユーザが報知情報提示部６の表示を確認するための確認動作として検出する例を示したが、検出対象となる確認動作は、ユーザが報知情報提示部６の表示を確認する際の動作であればよく、この例に限られない。
【００９６】
例えば、ユーザが携帯電話機１を持ち上げ、報知情報提示部６を該ユーザに向けて保持するという一連の動作を、上記の確認動作として検出してもよい。この場合、加速度センサー１２の出力する３軸方向の加速度の変化量から、携帯電話機１の移動を検出した後、携帯電話機１が静止またはほぼ静止していることを検出しときに、確認動作を検出したと判断してもよい。なお、移動の検出は図４のＳ６と同様に行えばよく、静止の検出はＳ５と同様に行えばよい。
【００９７】
〔報知情報提示部６の向きの考慮〕
また、報知情報提示部６の向きを考慮して確認動作の検出を行ってもよい。報知情報提示部６の向きが、ユーザが報知情報提示部６の表示を確認していると考えられないような向きとなっている場合に、表示の切り替えを行う必要はないからである。
【００９８】
例えば、置かれている携帯電話機１をユーザが手に取って、報知情報提示部６が自分の方に向くように保持するという動作を確認動作として検出してもよい。この場合、携帯電話機１が置かれているときの静止状態が検出された後、手に取られたときの移動状態が検出され、さらに、報知情報提示部６が自分の方に向くように保持されたときの静止状態が検出されると共に、そのときの携帯電話機１の傾きが予め定めた範囲内であることが検出されたときに、確認動作が行われたと判断することができる。
【００９９】
また、報知情報提示部６が自分の方に向くように保持するという動作を確認動作として検出してもよい。この場合、携帯電話機１が静止状態であって、かつ携帯電話機１の傾きが予め定めた範囲内であることが検出されたときに、確認動作が行われたと判断すればよい。
【０１００】
なお、静止状態及び移動状態は、上記実施形態に記載したような手法で加速度センサー１２の出力する加速度の変化量の値から検出することができる。また、携帯電話機１の傾きは、加速度センサー１２の検出する加速度から特定することができ、携帯電話機１の傾きから報知情報提示部６が何れの方向を向いているかを特定することができる。このように、加速度センサー１２の検出する加速度の値を用いて向きを検出する場合、加速度センサー１２は、向き検出部としても機能すると言える。無論、加速度センサー１２とは別に、報知情報提示部６の向きを検出するための部材（例えば３軸磁気センサー等）を設けてもよい。
【０１０１】
また、通常、ユーザが報知情報提示部６を見ているときには、報知情報提示部６が上向きで、報知情報提示部６の上側が下側よりも高い位置となるように傾いた状態で保持される。このため、例えば、報知情報提示部６が、鉛直方向上向きから、水平面に対して９０°傾いた向き（ただし、報知情報提示部６の上側が下側よりも高い位置）の間である場合に、報知情報提示部６がユーザの方に向くように保持されていると判断してもよい。
【０１０２】
なお、報知情報提示部６の向きが、ユーザが報知情報提示部６の表示を確認していると考えられないような向きとなっている場合に、表示の切り替えを行わないようにしても、上記と同様の効果を奏する。
【０１０３】
例えば、ＬＥＤを点灯状態に切り替える前に、報知情報提示部６の向きが、ユーザが報知情報提示部６の表示を確認していると考えられないような向きとなっているか判断し、このような向きとなっている場合には、ＬＥＤを点灯状態としないようにしてもよい。
【０１０４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０５】
〔制御部１１の構成例〕
最後に、携帯電話機１の制御部１１の各ブロック、特に持上げ検出部２０及びＬＥＤ制御部２１は、集積回路（ＩＣチップ）上に形成された論理回路によってハードウェア的に実現してもよいし、ＣＰＵ（Central Processing Unit）を用いてソフトウェア的に実現してもよい。
【０１０６】
後者の場合、携帯電話機１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、携帯電話機１に供給し、そのコンピュータ（またはＣＰＵやＭＰＵ）が記録媒体に記録されているプログラムコードを読み出し実行することによっても、達成可能である。
【０１０７】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１０８】
また、携帯電話機１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０９】
本発明は、自機の状態を通知することに利便性のある任意の電子機器に利用することができる。特に、携帯電話機やＰＤＡ（Personal Digital Assistance）、スマートフォン等のように、ユーザが状態確認の際にその機器を持ち上げる動作を行うような電子機器に好適に適用できる。
【符号の説明】
【０１１０】
１  携帯電話機（電子機器、携帯端末装置）
６  報知情報提示部（状態通知部）
１２  加速度センサー（状態検出部、向き検出部）
１４  緑色ＬＥＤ（バックライト）
１５  赤色ＬＥＤ（バックライト）
１６  青色ＬＥＤ（バックライト）
２０  持上げ検出部（確認動作検出手段）
２１  ＬＥＤ制御部（切替手段）
【図１】
0005781357.tif 000002
【図２】
0005781357.tif 000003
【図３】
0005781357.tif 000004
【図４】
0005781357.tif 000005